(57)【特許請求の範囲】
【請求項１】
ネットワークの構成や状態などを管理するネットワーク管理システムの画面制御方法において、
管理対象であるネットワーク構成要素相互間の接続、収容、契約等の関連を表わす関連対象画面展開情報データと、管理対象毎に固有の管理情報を表示する固有画面展開情報データとを保持し、
当該ネットワーク管理システムの画面表示部に、前記関連対象画面展開情報データに基づき、画面表示部に表示されている任意の管理対象について管理上関連のあるその他の管理対象を表示する「関連対象画面選択メニュー」と、前記固有画面展開情報データに基づき、各管理対象毎の固有の管理情報のタイトルを表示する「固有画面選択メニュー」とを常時表示し、
端末作業者に対して、画面表示部に表示されている管理対象、あるいは、「関連対象画面選択メニュー」により表示される関連管理対象を選択させて、管理対象を指定させる第１のステップと、「固有画面選択メニュー」により、前記第１のステップで指定された管理対象の固有の管理情報のタイトルを選択させて、前記指定された管理対象の固有の管理情報を画面表示部に表示させる第２のステップとを繰り返し、所望の管理情報を画面表示部に表示させることを特徴とするネットワーク管理システムの画面制御方法。
【発明の詳細な説明】
【０００１】
【発明の属する技術分野】
本発明は、ネットワーク管理システムに関わり、特に、端末作業者に対して、管理情報を正確に、かつ分かりやすく画面表示部に表示する画面制御方法に関する。
【０００２】
【従来の技術】
一般に、通信網の高度化、インテリジェント化により、ネットワークの構成要素、並びに故障が複雑になる傾向にあり、また一方、社会の情報化に伴い、顧客の要求条件は高度になっており、故障による影響はより深刻化する傾向にある。
【０００３】
従来のネットワーク管理システムにおいて、所望の管理情報を画面表示部に表示させるために、システム設計時に予め想定、あるいは、決定されている業務毎のツリー構成の画面を詳細に展開し、業務毎にツリー構成の画面展開ルールが採用されており、端末作業者は業務に必要なメニューを選択し、そのメニューに沿って、対話式に順次これらのツリーに沿って必要とする画面にたどり着く方式が一般的であった。
【０００４】
【発明が解決しようとする課題】
しかしながら、従来の電話網のように、設備構成、規模、サービス内容、オペレーション体制がある程度確立されている通信サービスとは異なり、ＡＴＭ（非同期転送方式）網に代表されるマルチメディアネットワークにおいては、顧客のニーズ、需要が現状では未だにはっきりしていない。
【０００５】
また、将来的には、インターネットに代表されるような、従来の需要予測では予測困難な需要の急激な増加も考慮にいれなくてはならない。
【０００６】
このように、マルチメディアネットワーク等のネットワーク管理システムのシステム設計、あるいは、システム運用面において、例えば、ネットワークの構成、あるいは、提供サービス等が、将来的に変更されることを考慮する必要がある。
【０００７】
しかしながら、マルチメディアネットワーク等のネットワーク管理システムにおいて、従来のように、システム設計時に業務毎のツリー構成の画面を詳細に展開し、業務毎にツリー構成の画面展開ルールを採用することは、ネットワークの構成、提供サービス等が変更されると、前記業務毎のツリー構成の画面を新たに作成する必要があり、ネットワークの構成、提供サービス等を変更する場合に、柔軟に対応できないという問題点があった。
【０００８】
本発明は、前記従来技術の問題点を解決するためになされたものであり、本発明の目的は、ネットワーク管理システムの画面制御方法において、ネットワークシステムのシステム構成、あるいは、提供サービスが変更されても、柔軟に対応することが可能となる技術を提供することにある。
【０００９】
本発明の前記ならびにその他の目的と新規な特徴は、本明細書の記述及び添付図面によって明らかにする。
【００１０】
【課題を解決するための手段】
本願において開示される発明のうち、代表的なものの概要を簡単に説明すれば、下記の通りである。
【００１１】
（１）ネットワークの構成や状態などを管理するネットワーク管理システムの画面制御方法において、管理対象であるネットワーク構成要素相互間の接続、収容、契約等の関連を表わす関連対象画面展開情報データと、管理対象毎に固有の管理情報を表示する固有画面展開情報データとを保持し、当該ネットワーク管理システムの画面表示部に、前記関連対象画面展開情報データに基づき、画面表示部に表示されている任意の管理対象について管理上関連のあるその他の管理対象を表示する「関連対象画面選択メニュー」と、前記固有画面展開情報データに基づき、各管理対象毎の固有の管理情報のタイトルを表示する「固有画面選択メニュー」とを常時表示し、端末作業者に対して、画面表示部に表示されている管理対象、あるいは、「関連対象画面選択メニュー」により表示される関連管理対象を選択させて、管理対象を指定させる第１のステップと、「固有画面選択メニュー」により、前記第１のステップで指定された管理対象の固有の管理情報のタイトルを選択させて、前記指定された管理対象の固有の管理情報を画面表示部に表示させる第２のステップとを繰り返し、所望の管理情報を画面表示部に表示させることを特徴とする。
【００１２】
図１は、本発明のネットワーク管理システムの画面制御方法の概要を示す図である。
【００１３】
本発明においては、ネットワーク管理システムのシステム設計時に管理対象を抽出し、その運用時に、第１のステップで画面表示部に表示された指定管理対象２０、あるいは、例えば、顧客との契約関係、装置、伝送路への収容等の、指定管理対象２０に対して、非常に基本的、および、普遍的な関係にある関連管理対象（２１〜２４）を選択し、第２のステップで、当該選択された管理対象に固有の管理情報を表示する固有画面（３０〜４２）を画面表示部に表示させ、前記第１のステップと第２のステップとを繰り返し、画面展開を行うものである。
【００１４】
このように、従来の画面制御方法がネットワークサービスの運用に当たって、予め想定および決定されている業務フローを基本に画面展開を行うのに対して、本発明は、基本的に個別業務フローには依存せず、現在表示されている画面情報に依存した画面展開を行うものである。
【００１５】
前記手段によれば、ネットワーク管理システムの運用時に、第１のステップで、端末作業者に現在画面表示部に表示されている管理対象、あるいは、「関連対象画面選択メニュー」により表示される管理対象を選択・指定させ、第２のステップで、「固有画面選択メニュー」により、指定された管理対象の固有の管理情報を選択して、画面表示部に表示させ、この第１のステップと第２のステップとを繰り返し、所望の管理情報を画面表示部に表示させる。
【００１６】
これにより、ネットワーク管理システムの設計、運用において、ネットワーク構成、並びにサービス等が変更されても、柔軟に対応することが可能となる。
【００１７】
【発明の実施の形態】
以下、図面を参照して本発明の実施形態を詳細に説明する。
【００１８】
なお、実施形態を説明するための全図において、同一機能を有するものは同一符号を付け、その繰り返しの説明は省略する。
【００１９】
図２は、本発明の一発明の実施の形態であるＡＴＭネットワーク管理システムの概略構成を示すブロック図である。
【００２０】
図２において、１は画面制御部、２は画面制御部−情報処理部間インタフェース部、３は情報分析部、４は情報収集部、５は情報転送網、６はネットワークデータ格納部、７はサービスデータ格納部、８は通信網、８１  〜８３  は通信設備である。
【００２１】
図２に示す画面制御部１は画面表示部を含んでおり、図３は、図２に示す画面制御部１の概略構成を示すブロック図である。
【００２２】
図３において、１０１は表示画面、１０２は表示画面中に表示される関連対象画面選択メニュー、１０３は表示画面中に表示される固有画面選択メニュー、１０４は関連対象画面管理機能部、１０５は固有画面管理機能部、１０６は関連対象画面展開情報データ、１０７は固有画面展開情報データである。
【００２３】
本発明の実施の形態のシステムにおいては、予め本システムの目的に合致した、例えば、下記表１に示すような管理対象を予め抽出しておく。
【００２４】
【表１】
0003617205.tif 000002
【００２５】
前記図２に示す通信網８の各通信設備（８１  〜８３  ）における、前記表１に示すネットワークデータがネットワークデータ格納部６に格納され、同じく、前記表１に示すサービスデータがサービスデータ格納部７に格納される。
【００２６】
このネットワークデータ格納部６に格納されたネットワークデータと、サービスデータ格納部７に格納されたサービスデータとが、情報転送網５を介して情報収集部４に収集される。
【００２７】
情報収集部４で収集されたネットワークデータとサービスデータとは、情報分析部３で分析され、当該分析結果は、画面制御部−情報処理部間インタフェース部２を介して、画面制御部１に入力され、表示される。
【００２８】
本発明の実施の形態のネットワーク管理システムにおいては、画面表示部に表示される全ての表示画面１０１には、「関連対象画面選択メニュー」１０２と「固有画面選択メニュー」１０３とが表示される。
【００２９】
本発明の実施の形態のネットワーク管理システムにおいては、所望の管理情報を画面表示部に表示させるための画面展開はこの２つのメニューの操作により実行される。
【００３０】
図４は、本発明の実施の形態のネットワーク管理システムにおける画面展開の処理手順を示すフローチャートである。
【００３１】
図４を用いて、本発明の実施の形態のネットワーク管理システムにおける画面展開の処理手順を説明する。
【００３２】
始めに、画面表示部に表示されている任意の管理対象を選択する（ステップ３０１）。
【００３３】
この場合に、管理対象は、図５に示す地図形式、図６に示す表形式、あるいは、図７に示す図形形式等の表示形態で、画面表示部に表示することが可能である。
【００３４】
例えば、図５に示すネットワークの地図表示形式の例では、マウスのクリック等によりＶＰ（バーチャルパス）（１０１  〜１０４  ）と、ＶＰＨ（ＶＰハンドラ）（１２１  〜１２４  ）とが選択可能であり、これら管理対象の選択動作が画面展開のための基本となる。
【００３５】
なお、図５では、地図表示形式の表示画面において、ＶＰ１０２  が太線で表示され、当該ＶＰ１０２  が選択された例を図示している。
【００３６】
同じく、図６では、表形式の表示画面において、ＶＰ１０２  が網掛けで表示表示され、当該ＶＰ１０２  が選択された例を図示している。
【００３７】
同じく、図７では、図形形式の表示画面において、ＶＰ１０２  が網掛けで表示表示され、当該ＶＰ１０２  が選択された例を図示している。
【００３８】
次に、前記ステップ３０１で管理対象を選択した後、当該管理対象に関連する対象を選択したい場合には、「関連対象画面選択メニュー」１０２により関連管理対象を選択する（ステップ３０２）。
【００３９】
ここで、「関連対象画面選択メニュー」１０２での画面展開の考え方については、ネットワーク管理システムのシステム設計時、および、システム運用中の双方において、端末作業者が、ネットワーク管理システム上での管理対象の関連を理解している必要がある。
【００４０】
ＡＴＭネットワークを、例に挙げれば、前記表１で抽出した管理対象間の関連を抽出することが必要である。
【００４１】
図８は、前記表１に示すＡＴＭネットワークにおけるネットワークデータ間の関連を示すブロック図である。
【００４２】
図９は、図８をもとに、サービスデータを含めて前記表１に示す管理対象間の関係を示す図である。
【００４３】
図８、図９において、９，９１  ，９２  ，９３  ，９４  はＳＤＨ（同期ディジタルハイアラーキ）伝送路、１０，１０５  ，１０６  ，１０７  ，１０８  はＶＰ、１１，１１１  ，１１２  ，１１３  はＶＣ（バーチャルチャネル）、１２，１２５  はＶＰＨ、１３はＶＣＨ（ＶＣハンドラ）、１４は契約顧客、１５は顧客ネットワークである。
【００４４】
前記「関連対象画面選択メニュー」１０２は、この管理対象間の関連をもとに構成されることになる。
【００４５】
図５に示す地図表示形式の表示画面の場合に、ＶＰ１０２  を選択した際の「関連対象画面選択メニュー」１０２の内容の一例を図１０に示す。
【００４６】
この「関連対象画面選択メニュー」１０２により表示される関連管理対象の情報は、選択された管理対象毎に前記図３に示す画面制御部１における関連対象画面展開情報データ１０６に保持されており、この関連対象画面展開情報データ１０６は、関連対象画面管理機能部１０４により管理される。
【００４７】
端末作業者は、図１０に示す「関連対象画面選択メニュー」１０２により表示される６つのメニュー内容（関連管理対象）から、プルダウン等の動作により希望管理対象を選択することができ、これにより、当該選択されたＶＰに関連した他の管理対象を選択することができる。
【００４８】
図８、図９の関係図により、ＶＰＨ１２、ＶＣＨ１３、ＳＤＨ伝送路９を指定した場合、当該ＶＰを収容している関係にある各々の管理対象が選択されることになり、ＶＣ１１を指定した場合には、当該ＶＰに収容されている関係にあるＶＣが選択されることになる。
【００４９】
また、サービスデータである契約顧客１４は、当該ＶＰと契約関係にある顧客情報、顧客ネットワーク１５は、当該ＶＰを構成している関係にある顧客ネットワーク管理対象がそれぞれ選択されることになる。
【００５０】
なお、前記図８、図９に示す関連は、ＡＴＭネットワークの非常に基本的な構成関係であり、かつ、端末作業者にとっては容易に理解できる基本事項の範囲である。
【００５１】
ＡＴＭネットワークに限らず、一般のネットワークにおいても、これらの関係によって画面展開を構成することを基本コンセプトにすれば、業務仕様の変更に対するネットワーク管理システムの画面展開の設計、開発、運用面の変更を最小にすることができる。
【００５２】
次に、前記ステップ３０１あるいはステップ３０２により、管理対象を選択した後、「固有画面選択メニュー」１０３を用いて次表示画面を決定する（ステップ３０３）。
【００５３】
例えば、前記ステップ３０１あるいはステップ３０２により、管理対象としてＶＰが選択された場合の「固有画面選択メニュー」１０３の内容の一例を図１１に示す。
【００５４】
この「固有画面選択メニュー」１０３により表示される画面情報は、選択された管理対象毎に、前記図３に示す画面制御部１の固有画面展開情報データ１０７に保持されており、この固有画面展開情報データ１０７は、固有画面管理機能部１０５により管理される。
【００５５】
端末作業者は、図１１に示す「固有画面選択メニュー」１０３により表示される３つのメニュー内容（タイトル）から、プルダウン等により希望画面を選択することができ、これにより当該選択されたＶＰの固有の管理情報が次画面に展開される。
【００５６】
図１２は、図１１に示す管理対象ＶＰに対する「固有画面選択メニュー」１０３から展開されるＶＰ自身の固有画面の一例を示す図である。
【００５７】
図１２に示す例では、ＶＰ自身の固有画面は、「ＶＰ基本情報」、「ＶＰ構成情報」、「ＶＰ故障履歴」の３種類である。
【００５８】
ここで、「ＶＰ基本情報」とは、当該ＶＰに関する詳細な情報画面を示し、また、「ＶＰ構成情報」は、当該ＶＰを構成しているＳＤＨ伝送路，ＶＰＨ，ＶＣＨの接続状態を図示しており、さらに、「ＶＰ故障履歴」は、当該ＶＰの過去における故障をリスト形式で表したものである。
【００５９】
前記ステップ３０１からステップ３０３のルールにより、次画面に展開した後（ステップ３０４）、展開後の画面に対して、再び前記ステップ３０１からステップ３０３の展開ルールが繰り返し適用され、画面展開が進行していく。
【００６０】
なお、前記ステップ３０１からステップ３０３のルール適用に当たり、ステップ３０１で画面上で選択した管理対象についての固有画面を直接表示させたい場合には、図４に示すステップ３０２を省略し、直接ステップ３０３の「固有画面選択メニュー」１０３のみを用いる画面展開方式も可能である。
【００６１】
一方、図４に示すステップ３０４で展開された展開後の画面に対して、再び前記ステップ３０１からステップ３０３の展開ルールを繰り返す場合に、図１３に示すように、ステップ３０５を追加し、図４に示すステップ３０４で表示された管理対象を選択される管理対象とみなす等の管理対象デフォルト選択を予め決めておく画面展開方式もまた可能である。
【００６２】
この場合にも、図４に示すステップ３０２を省略し、直接ステップ３０３の「固有画面選択メニュー」１０３のみを用いる画面展開方式も可能である。
【００６３】
以上、本発明者によってなされた発明を、前記実施形態に基づき具体的に説明したが、本発明は、前記実施形態に限定されるものではなく、その要旨を逸脱しない範囲において種々変更可能であることは勿論である。
【００６４】
【発明の効果】
本願において開示される発明のうち代表的なものによって得られる効果を簡単に説明すれば、下記の通りである。
【００６５】
（１）本発明によれば、ネットワーク管理システムにおける画面展開方法において、業務に固定化された画面展開ルールに依存せず、端末作業者が画面表示部に表示された管理対象、あるいは、当該管理対象に関連する管理対象を任意に選択し、当該選択された管理対象自身の固有な画面を表示する画面展開方法であるため、外部環境の急激な変化により事前に業務事項の詳細が明確にできない場合、また、システム運用後に業務の変更が生じた場合にも、従来のように業務毎にツリー構成の画面を新たに作成する必要がないので、当該変更を吸収し、柔軟に対応することが可能となる。
【００６６】
また止むを得ず、ネットワーク管理システムの変更が生じた場合にも、特定の管理対象、あるいは、画面を追加するだけでよいので、画面展開ルールの維持が容易である。
【００６７】
（２）本発明によれば、端末作業ルールの一貫性を高めることにもつながり、ネットワークオペレーション作業を効率化することが可能である。
【図面の簡単な説明】
【図１】本発明のネットワーク管理システムの画面制御方法の概要を示す図である。
【図２】本発明の一発明の実施の形態であるＡＴＭネットワーク管理システムの概略構成を示すブロック図である。
【図３】図２に示す画面制御部１の概略構成を示すブロック図である。
【図４】本発明の実施の形態のネットワーク管理システムにおける画面展開の処理手順を示すフローチャートである。
【図５】本発明の実施の形態において、表示画面に管理対象を、地図表示形式で表示した例を示す図である。
【図６】本発明の実施の形態において、表示画面に管理対象を、表形式で表示した例を示す図である。
【図７】本発明の実施の形態において、表示画面に管理対象を、図形形式で表示した例を示す図である。
【図８】前記表１に示すＡＴＭネットワークにおけるネットワークデータ間の関連を示すブロック図である。
【図９】図８をもとに、サービスデータを含めて前記表１に示す管理対象間の関係を示す図である。
【図１０】管理対象としてＶＰが選択された場合の「関連対象画面選択メニュー」１０２の内容の一例を示す図である。
【図１１】管理対象としてＶＰが選択された場合の「固有画面選択メニュー」１０３の内容の一例を示す図である。
【図１２】図１１に示す管理対象ＶＰに対する「固有画面選択メニュー」１０３から展開されるＶＰ自身の固有画面の一例を示す図である。
【図１３】本発明の実施の形態において、ステップ３０４で画面に表示された管理対象を選択管理対象とみなした場合の画面展開の処理手順を示すフローチャートである。
【符号の説明】
１…画面制御部、１０１…表示画面、１０２…関連対象画面選択メニュー、１０３…固有画面選択メニュー、１０４…関連対象画面管理機能部、１０５…固有画面管理機能部、１０６…関連対象画面展開情報データ、１０７…固有画面展開情報データ、２…画面制御部−情報処理部間インタフェース部、３…情報分析部、４…情報収集部、５…情報転送網、６…ネットワークデータ格納部、７…サービスデータ格納部、８…通信網、９…ＳＤＨ伝送路、１０…ＶＰ（バーチャルパス）、１１…ＶＣ（バーチャルチャネル）、１２…ＶＰＨ（ＶＰハンドラ）、１３…ＶＣＨ（ＶＣハンドラ）、１４…契約顧客、１５…顧客ネットワーク。
【図１】
0003617205.tif 000003
【図２】
0003617205.tif 000004
【図３】
0003617205.tif 000005
【図４】
0003617205.tif 000006
【図５】
0003617205.tif 000007
【図６】
0003617205.tif 000008
【図７】
0003617205.tif 000009
【図８】
0003617205.tif 000010
【図９】
0003617205.tif 000011
【図１０】
0003617205.tif 000012
【図１１】
0003617205.tif 000013
【図１２】
0003617205.tif 000014
【図１３】
0003617205.tif 000015